(57)【特許請求の範囲】
【請求項１】
光源を有するフロントライトユニットと、
前記光源から提供される光を用いて画像を表示し、１つの開口部を有する複数のカラーフィルタが形成された液晶表示パネルとを有し、
前記光源が青色ＬＥＤ及びＹＡＧを用いたホワイトＬＥＤモジュールであって、
前記カラーフィルタが各色毎に透過領域と反射領域とを有し、
前記開口部が前記反射領域に設けられているとともに、
青色カラーフィルタ、緑色カラーフィルタ、赤色カラーフィルタの順に前記開口部の大きさが小さくなることを特徴とする液晶表示装置。
【請求項２】
光源を有するフロントライトユニットと、
前記光源から提供される光を用いて画像を表示し、１つの開口部を有する複数のカラーフィルタが形成された液晶表示パネルとを有し、
前記光源が青色ＬＥＤ及びＹＡＧを用いたホワイトＬＥＤモジュールであって、
前記カラーフィルタが各色毎に透過領域と反射領域とを有し、
前記開口部が前記反射領域に設けられているとともに、
青色カラーフィルタ、緑色カラーフィルタ、赤色カラーフィルタの順にカラーフィルタが出射する光の該当波長領域の面積積分値を増加させることを特徴とする液晶表示装置。
【発明の詳細な説明】
【技術分野】
【０００１】
本発明は液晶表示装置に関し、特に、半透過型または反射型液晶表示装置から反射された光にも一定の色感を持たせることのできる液晶表示装置に関する。
【背景技術】
【０００２】
液晶表示装置は、現在最も広く使用されている平板表示装置のうちの一つであり、画素電極と共通電極など電界生成電極が形成されている二枚の表示板と、その間に挿入されている液晶層で構成され、電界生成電極に電圧を印加して液晶層に電界を生成し、これを通して液晶層の液晶分子の配向を決定して入射光の偏光を制御することによって画像を表示する。
【０００３】
一般に液晶表示装置は、一側面でだけ画像を見ることができるが、２つの液晶表示パネルを重ねて両側の面で画像を見ることができる液晶表示装置が多分野で使用されている。
液晶表示装置は、透過型、半透過型、反射型に区分されるが、半透過型と反射型は反射される光を利用するために透過光と経路及び色感が異なる。それによって、半透過型と反射型の液晶表示装置は、透過型液晶表示装置と色感が異なって画質が落ちる問題がある。
【発明の開示】
【発明が解決しようとする課題】
【０００４】
そこで、本発明は上記従来の液晶表示装置における問題点に鑑みてなされたものであって、本発明の目的は、半透過型または反射型液晶表示装置から反射された光にも一定の色感を持たせる液晶表示装置を提供することにある。
【課題を解決するための手段】
【０００５】
上記目的を達成するためになされた本発明による液晶表示装置は、光源を有するフロントライトユニットと、前記光源から提供される光を用いて画像を表示し、１つの開口部を有する複数のカラーフィルタが形成された液晶表示パネルとを有し、前記光源が青色ＬＥＤ及びＹＡＧを用いたホワイトＬＥＤモジュールであって、前記カラーフィルタが各色毎に透過領域と反射領域とを有し、前記開口部が前記反射領域に設けられているとともに、青色カラーフィルタ、緑色カラーフィルタ、赤色カラーフィルタの順に前記開口部の大きさが小さくなることを特徴とする。
【０００７】
また、上記目的を達成するためになされた本発明による液晶表示装置は、光源を有するフロントライトユニットと、前記光源から提供される光を用いて画像を表示し、１つの開口部を有する複数のカラーフィルタが形成された液晶表示パネルとを有し、前記光源が青色ＬＥＤ及びＹＡＧを用いたホワイトＬＥＤモジュールであって、前記カラーフィルタが各色毎に透過領域と反射領域とを有し、前記開口部が前記反射領域に設けられているとともに、青色カラーフィルタ、緑色カラーフィルタ、赤色カラーフィルタの順にカラーフィルタが出射する光の該当波長領域の面積積分値を増加させることを特徴とする。
【発明の効果】
【０００９】
本発明に係る液晶表示装置によれば、光源が含む色の分布に従って、反射領域でのカラーフィルタを調節して反射モードで表示する画像の色感を一定にする。その結果、液晶表示装置の画像がより明確に表示されて、色の鮮明度も増加するという効果がある。
そして、費用を低減すると共に、表示品質を向上できるという効果がある。
【発明を実施するための最良の形態】
【００１０】
上述のような問題点を解決するために、本発明ではカラーフィルタの色相に従って、互いに異なる条件でカラーフィルタを形成する。
【００１１】
図面において、多様な層及び領域を明確に表現するために厚さを拡大して示した。明細書全体にわたって類似する部分については同一図面符号を付けた。層、膜、領域、板などの部分が他の部分の「上」にあるとする時、これは他の部分の「直ぐ上」にある場合だけでなく、その中間に他の部分がある場合も含む。一方、ある部分が他の部分の「直ぐ上」にあるとする時には中間に他の部分がないことを意味する。
【００１２】
本発明による液晶表示装置は例えば、光源を有するフロントライトユニット、前記光源から提供される光を利用して画像を表示し、少なくとも一色のカラーフィルタは透過領域と反射領域のカラーフィルタの物質が異なり、少なくとも一色の反射領域のカラーフィルタは開口部を有する液晶表示パネルを有し、前記反射領域では前記開口部を利用したり、前記透過領域と異なるカラーフィルタ物質を利用して色感を向上させて、前記光源が提供する光の色分布に従って、前記反射領域のカラーフィルタが色感を向上させる程度が変わって、前記色分布が広い色の場合に当該色のカラーフィルタが色感を向上させる程度が低く、前記色分布に反比例して前記カラーフィルタが色感を向上させる。
前記光源が青色ＬＥＤとＹＡＧ蛍光体を用いたホワイトＬＥＤモジュールである場合、前記青色カラーフィルタ、前記緑色カラーフィルタ、前記赤色カラーフィルタの順に前記カラーフィルタが色感を向上させる程度が増加する。
前記光源が青色ＬＥＤ及びＹＡＧ蛍光体を用いたホワイトＬＥＤに赤色、緑色の蛍光体をさらに形成した赤色緑色蛍光体ＬＥＤモジュールである場合に、前記カラーフィルタが色感を向上させる程度の差が２０％以内であるのが望ましい。
前記光源が青色、緑色、赤色を発光する各々のＬＥＤを利用した３色ＬＥＤモジュールである場合、前記カラーフィルタが色感を向上させる程度の差が２０％以内であるのが望ましい。
【００１３】
また、本発明による液晶表示装置は例えば、光源を有するフロントライトユニット、前記光源から提供される光を利用して画像を表示し、前記光源から提供された光を反射して画像を表示し、カラーフィルタを含む反射型液晶表示パネルを有し、前記カラーフィルタのうちの青色カラーフィルタに形成されている開口部が赤色及び緑色カラーフィルタに形成されている開口部に比べて大きく、前記緑色カラーフィルタに形成されている開口部が前記赤色カラーフィルタに形成されている開口部に比べて大きく形成されている。
【００１４】
また、本発明による液晶表示装置は例えば、光源を有するフロントライトユニット、前記光源から提供される光を利用して画像を表示し、前記光源から提供された光を反射して画像を表示し、カラーフィルタを含む反射型液晶表示パネルを有し、前記カラーフィルタは前記光源から提供された光の色感を向上させて、青色カラーフィルタが色感を向上させる比率が赤色及び緑色カラーフィルタが色感を向上させる比率より低く、前記緑色カラーフィルタが色感を向上させる比率は前記赤色カラーフィルタが色感を向上させる比率より低い。
前記光源は、青色ＬＥＤとＹＡＧ蛍光体を用いたホワイトＬＥＤモジュールであってもよい。
【００１５】
また、本発明による液晶表示装置は例えば、光源を有するフロントライトユニット、前記光源から提供される光を利用して画像を表示し、前記光源から提供された光を反射して画像を表示し、カラーフィルタを含む反射型液晶表示パネルを有し、前記カラーフィルタ上には開口部が形成されており、青色カラーフィルタ、緑色カラーフィルタ及び赤色カラーフィルタに形成されている開口部の大きさの差が２０％以内である。
【００１６】
また、本発明による液晶表示装置は例えば、光源を有するフロントライトユニット、前記光源から提供される光を利用して画像を表示し、前記光源から提供された光を反射して画像を表示し、カラーフィルタを含む反射型液晶表示パネルを有し、前記カラーフィルタが色感を向上させる程度の差が各色別に２０％以内である。
前記光源は、青色ＬＥＤ及びＹＡＧ蛍光体を用いたホワイトＬＥＤに赤色、緑色の蛍光体をさらに形成した赤色緑色蛍光体ＬＥＤモジュール、または青色、緑色、赤色を発光する各々のＬＥＤを利用した３色ＬＥＤモジュールであってもよい。
【００１７】
また、本発明による液晶表示装置は例えば、光源を有するフロントライトユニット、前記光源から提供される光を利用して画像を表示し、カラーフィルタを有する液晶表示パネルを有し、前記光源は各色の分布の差は２０％以内であり、前記カラーフィルタは各色別に透過領域と反射領域を有し、前記カラーフィルタには開口部が形成されており、前記開口部は前記反射領域全体にかけて形成されている。
前記光源は、青色ＬＥＤ及びＹＡＧ蛍光体を用いたホワイトＬＥＤに赤色、緑色の蛍光体をさらに形成した赤色緑色蛍光体ＬＥＤモジュール、または青色、緑色、赤色を発光する各々のＬＥＤを利用した３色ＬＥＤモジュールであってもよい。
【００１８】
まず、本発明の第１の実施形態による半透過型の液晶表示装置について詳細に説明する。
図１は本発明の第１の実施形態による液晶表示装置の概略断面図である。
図１に示すように本実施形態による液晶表示装置は、薄膜トランジスタ表示板１００、  カラーフィルタ表示板２００、液晶層３及び密封材３１０を含む液晶表示パネルを有し、液晶表示パネルの上側には、導光板５５０及び光源５１０が位置する構造を有する。つまり、光源５１０及び導光板５５０を備えるフロントライトユニットを有する。
【００１９】
より詳細に説明すると、薄膜トランジスタ表示板１００の下部面には下部偏光板１２が付着されている。一方、カラーフィルタ表示板２００の上部面には上部偏光板２２が付着されている。図１では示していないが、薄膜トランジスタ表示板１００と下部偏光板１２の間には下部位相遅延フィルム１５が備えられ、カラーフィルタ表示板２００と上部偏光板２２の間には上部位相遅延フィルム２５が備えられている（後述図４参照）。
【００２０】
上部偏光板２２の外側には導光板５５０が位置し、導光板５５０の一側面には光源５１０と反射板５２０が形成されている。
光源５１０は液晶表示パネルに光を提供するための構成要素であり、光源５１０から放射された光は導光板５５０に入射される。光源５１０は反射板５２０で囲まれて、反射板５２０は導光板５５０に入射されていない光を反射させて導光板５５０に入射させる。
一方、導光板５５０は、光源５１０から提供された光をガイドして液晶表示パネルに入射するように誘導し、液晶表示パネルに向かって垂直方向に入射できるようにガイドするのが望ましい。
【００２１】
以上のように、光源５１０、反射板５２０及び導光板５５０は、液晶表示パネルの上部面に位置して、フロントライト方式で液晶表示パネルに光を提供する。
液晶表示パネルに提供された光の一部は、カラーフィルタ２３０を透過した後、液晶層３を経て、反射電極１９４で反射され上側に放射されて、上側で画像が見られるようにする。一方、液晶表示パネルに提供された光のうちの他の一部は、カラーフィルタ２３０を透過した後、液晶層を経て、透明電極１９２を通過し下側に放射されて、下側で画像が見られるようにする（図４参照）。このように本発明による液晶表示装置は、両側の面で画像を見ることができる。
【００２２】
図１の光源５１０は多様な実施形態で用いることができる。本発明の実施形態による光源５１０は、次のような種類の発光ダイオード（ＬＥＤ）の中より選択して用いられる。つまり、発光ダイオード（ＬＥＤ）モジュールは、（１）ホワイトＬＥＤモジュール、（２）赤色及び緑色の蛍光体を含むＬＥＤモジュール（以下、「赤緑蛍光体ＬＥＤモジュール」という）及び（３）赤色、緑色、青色の３種類のＬＥＤからなるＬＥＤモジュール（以下、「３色ＬＥＤモジュール」という）のうちから選択して用いられる。
【００２３】
ホワイトＬＥＤモジュールは、ブルーチップＬＥＤと黄色蛍光体であるＹＡＧを利用して白い光を発光するＬＥＤモジュールであり、赤緑蛍光体ＬＥＤモジュールは、ホワイトＬＥＤモジュールの表面に赤色及び緑色の蛍光体を追加して赤色成分及び緑色成分を向上させたＬＥＤモジュールである。一方、３色ＬＥＤモジュールは、青色、赤色及び緑色の光を各々発光する３種類のＬＥＤを配列して用いる。
【００２４】
以下、本発明の第１の実施形態による液晶表示装置の半透過型液晶表示パネルについて図２〜図４を参照して詳細に説明する。
図２は本発明の第１の実施形態による半透過型液晶表示装置の薄膜トランジスタ表示板の配置図であり、図３は図２のＩＶ−ＩＶ線に沿って切断した断面図であり、図４は液晶表示パネルを図２に示すＩＩＩ−ＩＩＩ線に沿って切断した断面図である。
【００２５】
本実施形態による液晶表示パネルは、薄膜トランジスタ表示板１００と、これと対向しているカラーフィルタ表示板２００、そして、これらの間に挿入されて二つの表示板（１００、２００）の表面に対して垂直または水平に配向されている液晶分子を含む液晶層３で構成される。
【００２６】
まず、薄膜トランジスタ表示板１００について説明する。
透明なガラスまたはプラスチックなどで形成された絶縁基板１１０上に複数のゲート線１２１及び複数の維持電極線１３１が形成されている。
ゲート線１２１は、ゲート信号を伝達し、主に横方向にのびている。各ゲート線１２１は、上に突出した複数のゲート電極１２４と他の層または外部駆動回路との接続のために面積が広い端部１２９を含む。
維持電極線１３１は、所定の電圧の印加を受け、ゲート線１２１と、二つのゲート線１２１のうちの下側に近いところに位置する。
【００２７】
ゲート線１２１及び維持電極線１３１上には、窒化ケイ素（ＳｉＮｘ）または酸化ケイ素（ＳｉＯｘ）などで形成されたゲート絶縁膜１４０が形成されている。
ゲート絶縁膜１４０上には、水素化非晶質シリコン（非晶質シリコンは、略してａ−Ｓｉと記す）または多結晶シリコンなどで構成された複数の線状半導体１５１が形成されている。
【００２８】
線状半導体１５１上には、複数の線状及び島型オーミックコンタクト部材１６１、１６５が形成されている。線状オーミックコンタクト部材１６１は複数の突出部１６３を有し、この突出部１６３と島型オーミックコンタクト部材１６５は対を成して線状半導体１５１の突出部１５４上に配置されている。
オーミックコンタクト部材（１６１、１６５）及びゲート絶縁膜１４０上には、複数のデータ線１７１と複数のドレイン電極１７５が形成されている。
【００２９】
データ線１７１は、データ信号を伝達し、主に縦方向にのびてゲート線１２１及び維持電極線１３１と交差する。各データ線１７１は、ゲート電極１２４に向かってのびた複数のソース電極１７３と他の層または外部駆動回路との接続のために面積が広い端部１７９を有する。
ドレイン電極１７５は、データ線１７１と分離されて、ゲート電極１２４を中心にソース電極１７３と対向する。各ドレイン電極１７５は、広い一側端部と棒状の他側端部を有する。広い一側端部は維持電極１３７と重なっており、棒状の他側端部は曲がったソース電極１７３で一部囲まれている。
【００３０】
一つのゲート電極１２４、一つのソース電極１７３及び一つのドレイン電極１７５は、線状半導体１５１の突出部１５４と共に一つの薄膜トランジスタ（ＴＦＴ）を成し、薄膜トランジスタのチャンネルは、ソース電極１７３とドレイン電極１７５の間の突出部１５４に形成される。
オーミックコンタクト部材（１６１、１６５）は、その下の線状半導体１５１とその上のデータ線１７１及びドレイン電極１７５の間にだけ存在して、これらの間の接触抵抗を低くする。
【００３１】
データ線１７１、ドレイン電極１７５及び露出された線状半導体１５１の上部には保護膜１８０が形成されている。保護膜１８０は、窒化ケイ素や酸化ケイ素などの無機絶縁物で形成された下部保護膜１８０ｑと、有機絶縁物で形成された上部保護膜１８０ｐを有する。また、上部保護膜１８０ｐには下部保護膜１８０ｑの一部を露出する透過窓１９５が形成されている。しかし、保護膜１８０は無機絶縁物または有機絶縁物などで形成された単一膜構造を有してもよい。
【００３２】
保護膜１８０にはデータ線１７１の端部１７９とドレイン電極１７５を各々露出する複数の接触孔１８２、１８５が形成されており、保護膜１８０とゲート絶縁膜１４０にはゲート線１２１の端部１２９を露出する複数の接触孔１８１が形成されている。
保護膜１８０上には複数の画素電極１９１及び複数の接触補助部材８１、８２が形成されている。
【００３３】
各画素電極１９１は上部保護膜１８０ｐの上部に形成されて、透明電極１９２及びその上の反射電極１９４を有する。透明電極１９２はＩＴＯまたはＩＺＯなどの透明な導電物質で形成され、反射電極１９４はアルミニウム、銀、クロムまたはその合金などの反射性金属で形成される。
反射電極１９４は、上部保護膜１８０ｐの透過窓領域に位置し、透明電極１９２を露出する透過窓１９５を有している。反射電極１９４は透明電極１９２一部の上にだけ存在し、透明電極１９２の他の部分を露出し、透明電極１９２の露出された部分は上部保護膜１８０ｐの透過窓領域に位置する。
【００３４】
画素電極１９１は、接触孔１８５を通してドレイン電極１７５と物理的・電気的に接続されており、ドレイン電極１７５からデータ電圧が印加される。データ電圧が印加された画素電極１９１は、共通電圧が印加される、カラーフィルタ表示板２００の共通電極２７０と共に電場を生成することによって、二つの電極（１９１、２７０）の間の液晶層３の液晶分子の配向方向を決定する。
【００３５】
薄膜トランジスタ表示板１００、カラーフィルタ表示板２００及び液晶層３などを含む半透過型液晶表示パネルは、透明電極１９２及び反射電極１９４によって各々定義される透過領域（ＴＡ）及び反射領域（ＲＡ）で区画できる。具体的には図４において、透過窓１９５の上下に位置する部分は透過領域（ＴＡ）となり、反射電極１９４の上下に位置する部分は反射領域（ＲＡ）となる。
【００３６】
透過領域（ＴＡ）では、液晶表示パネルの上部面、つまり、カラーフィルタ表示板２００側から入射された光が液晶層３を通過して、下部面、つまり、薄膜トランジスタ表示板１００側から光を発することによって表示を行う。反射領域（ＲＡ）では、上部面から入射された光が液晶層３に入って反射電極１９４によって反射されて液晶層３を再び通過して上部面から光が出射されることによって表示を行う。この時、反射電極１９４の表面に設けられる細かい屈曲（図示せず）は光が分散されて反射されるようにする。
【００３７】
透過領域（ＴＡ）には上部保護膜１８０ｐがないため、反射領域（ＲＡ）での液晶層３の厚さ、またはセル間隔は、透過領域（ＴＡ）でのセル間隔の半分になる。
接触補助部材８１、８２は、各々接触孔１８１、１８２を通してゲート線１２１の端部１２９及びデータ線１７１の端部１７９と接続される。接触補助部材８１、８２は、ゲート線１２１の端部１２９及びデータ線１７１の端部１７９と外部装置との接着性を補完してこれらを保護する。
【００３８】
次にカラーフィルタ表示板２００について説明する。
透明なガラスまたはプラスチックなどで形成された絶縁基板２１０上（図４上では下に、以下同様）に遮光部材２２０が形成されている。遮光部材２２０は、ブラックマトリックスともいい、画素電極１９１と対向する複数の開口領域を定義する一方、画素電極１９１の間の光漏れを防止する。
【００３９】
絶縁基板２１０上には、さらに複数のカラーフィルタ２３０が形成されており、遮光部材２２０に囲まれた領域内に殆ど入るように配置されている。カラーフィルタ２３０は、画素電極１９１に沿って縦方向に長くのびて帯状になる。各カラーフィルタ２３０は、赤色、緑色及び青色の三原色など基本色のうちの一色を表示できる。カラーフィルタ２３０の透過領域（ＴＡ）には全体領域に対して形成されている。
【００４０】
しかし、反射領域（ＲＡ）には少なくとも１つ以上の開口部２３５が形成されている。これは、透過領域（ＴＡ）は透明電極１９２を通った光がカラーフィルタ２３０を１回だけ通過するが、反射領域（ＲＡ）は光がカラーフィルタ表示板２００に入射される時、及び反射されて出射される時、合わせて２回カラーフィルタ２３０を通過するためである。開口部２３５の大きさ（面積）及び個数は、カラーフィルタの色及び光源の種類によって変わり、これについては後述する。
【００４１】
カラーフィルタ２３０及び遮光部材２２０上には平坦化膜２５０が形成され、さらにその上には共通電極２７０が形成されている。共通電極２７０は、ＩＴＯやＩＺＯなど透明な導電体で形成されるのが望ましい。
【００４２】
表示板（１００、２００）の内側面には液晶層３を配向するための配向膜（図示せず）が塗布されており、表示板（１００、２００）の外側面には各々偏光板１２、２２及び位相遅延フィルム１５、２５が備えられている。位相遅延フィルム１５、２５は、λ／４プレートまたはλ／２プレートが用いられるのが望ましく、λ／４プレートとλ／２プレートを共に用いてもよい。
【００４３】
図５は、液晶表示パネルを図２に示すＩＩＩ−ＩＩＩ線に沿って切断した断面図であり、図４と異なる他の実施形態による図面である。
図５は、図４と異なる形態のカラーフィルタを示している。図５の実施形態では、一つの画素内に反射領域（ＲＡ）と透過領域（ＴＡ）に使用するカラーフィルタとしては互いに異なる物質を用いる。反射領域（ＲＡ）に使用するカラーフィルタ２３１は、透過領域（ＴＡ）に使用するカラーフィルタ２３０より弱い色感を有して、反射領域（ＲＡ）で使用される光がカラーフィルタ２３１を二回通過すれば透過領域（ＴＡ）の色感と同様になるようにする。
【００４４】
一方、反射領域（ＲＡ）に使用するカラーフィルタ２３１と透過領域（ＴＡ）に使用するカラーフィルタ２３０は、同じ厚さを有してもよいが、厚さが互いに異なってもよい。その厚さが異なる場合、反射領域（ＲＡ）のカラーフィルタ２３１の厚さが透過領域（ＴＡ）のカラーフィルタ２３０の厚さより薄くてもよい。
上述のことを除いては図４の実施形態と図５の実施形態は互いに略同様である。
【００４５】
次に、光源の種類とそれに伴うカラーフィルタの色の関係を図６〜図１５を参照して説明する。
図６はホワイトＬＥＤモジュールを光源として用いた場合に、ホワイトＬＥＤモジュールで発光される光の波長による輝度を示したグラフであり、図７〜図９は、ホワイトＬＥＤモジュールを光源として用いた本発明の各実施形態によるカラーフィルタを示す図である。
【００４６】
図６〜図９は、ホワイトＬＥＤモジュールを光源として用いる実施形態に関する図面である。
図６はホワイトＬＥＤモジュールから発光される光の波長による輝度グラフを示した。  図６から分かるように、ホワイトＬＥＤモジュールは、ブルーチップＬＥＤに基づいて黄色のＹＡＧを利用して白い光を発光するため、青色光が最も強いということを確認できる。
【００４７】
以下、光源の色分布という用語を使用するが、色分布とは波長による輝度グラフで光源が提供する光のうち、該当波長領域の面積積分値を意味する。
ホワイトＬＥＤの場合、色分布は青色＞緑色＞赤色の順を有する。
【００４８】
図７はカラーフィルタに開口部を形成する実施形態を示している。
図７はカラーフィルタのみを簡略に示した図であり、カラーフィルタを上下に半分に分けると、上部は透過領域（ＴＡ）であり、下部は反射領域（ＲＡ）である。
図に示すように反射領域（ＲＡ）は色感を調節するために開口部（２３５Ｒ、２３５Ｇ、２３５Ｂ）を含む。ホワイトＬＥＤモジュールを用いる場合、青色の色分布が最も大きい（広い）ため、青色カラーフィルタ２３０Ｂ内に開口部２３５Ｂの領域の合計を最も大きくする。そして、緑色が赤色に比べて分布が広いため（図６参照）、緑色カラーフィルタ２３０Ｇ内の開口部２３５Ｇの領域の合計が赤色カラーフィルタ２３０Ｒ内の開口部２３５Ｒの領域の合計より大きく（広く）形成される。
【００４９】
開口部（２３５Ｒ、２３５Ｇ、２３５Ｂ）が形成された部分にはカラーフィルタ（２３０Ｒ、２３０Ｇ、２３０Ｂ）の色感が透過する光に提供されないため、当該カラーの色感が減る。従って、反射領域を通過した光が、光源が有する色感とカラーフィルタの色感を調節して調和のとれた色感を有するようにする。
ここで、反射領域（ＲＡ）にある開口部（２３５Ｒ、２３５Ｇ、２３５Ｂ）は反射領域全体に渡って均等に形成されることが好ましい。
【００５０】
図８は反射領域（ＲＡ）と透過領域（ＴＡ）のカラーフィルタを各々異なる物質で形成した実施形態を示している。つまり、赤色のカラーフィルタのうちの反射領域（ＲＡ）カラーフィルタは２３１Ｒと示し、赤色のカラーフィルタのうちの透過領域（ＴＡ）カラーフィルタは２３０Ｒと示した。このように緑色、青色のカラーフィルタのうちの反射領域（ＲＡ）カラーフィルタは２３１Ｇ、２３１Ｂであり、緑色、青色のカラーフィルタのうちの透過領域（ＴＡ）カラーフィルタは２３０Ｇ、２３０Ｂである。
【００５１】
ここでもホワイトＬＥＤモジュールを用いるため、光源から提供される光には青色、緑色、赤色の順にその色分布が少なくなるため、反射領域でのカラーフィルタが色感を向上させる比率が赤色カラーフィルタ２３１Ｒ、緑色カラーフィルタ２３１Ｇ、青色カラーフィルタ２３１Ｂの順に減少するようなカラーフィルタで反射領域を形成する。その結果、反射領域を通した光が、光源が有する色感とカラーフィルタの色感を調節して調和のとれた色感を有するようにする。
【００５２】
一方、図９は青色のカラーフィルタだけ２種類の物質を使用して、赤色と緑色のカラーフィルタは開口部を形成する実施形態を示している。
本実施形態もホワイトＬＥＤモジュールを用いるため、光源から提供される光には青色、緑色、赤色の順にその色分布が減るため、反射領域でカラーフィルタが色感を増加させる比率を青色、緑色、赤色の順に増加させるカラーフィルタを反射領域に形成する。つまり、反射領域の青色のカラーフィルタ２３１Ｂは透過領域の青色のカラーフィルタ２３０Ｂとは別の物質を利用して色感を少し向上させ、緑色と赤色のカラーフィルタ（２３０Ｇ、２３０Ｒ）は開口部（２３５Ｇ、２３５Ｒ）を利用して色感を向上させる。反射領域の赤色カラーフィルタは、反射領域の緑色カラーフィルタより色感をさらに向上させなければならないため、反射領域の赤色カラーフィルタの開口部２３５Ｒの合計を反射領域の緑色カラーフィルタの開口部２３５Ｇの合計より小さく形成する。
【００５３】
本実施形態において、青色のカラーフィルタで反射領域に別の物質を利用して反射領域カラーフィルタを形成したが、他の色を異なる物質で形成することもできる。ただし、ホワイトＬＥＤモジュールを光源として用いるため、反射領域でカラーフィルタが色感を向上させる比率が青色、緑色、赤色の順に増加するように形成するべきである。
【００５４】
図１０は、赤色、緑色の蛍光体を含むＬＥＤモジュール（赤緑蛍光体ＬＥＤモジュール）を光源として用いた場合にＬＥＤモジュールから発光される光の波長による輝度を示したグラフであり、図１１〜図１３は赤色、緑色の蛍光体を含むＬＥＤモジュールを光源として利用した本発明の各実施形態によるカラーフィルタを示す図である。
図１０〜図１３は、赤緑蛍光体ＬＥＤモジュールを用いる実施形態に関する図である。
【００５５】
上述したように、赤緑蛍光体ＬＥＤモジュールはホワイトＬＥＤモジュールの表面に赤色、緑色の蛍光体を塗って赤色成分及び緑色成分を向上させたＬＥＤモジュールである。
図１０では赤緑蛍光体ＬＥＤモジュールから発光される光の波長による輝度グラフを示す。図１０から分かるように、赤緑蛍光体ＬＥＤモジュールもブルーチップＬＥＤモジュールに基づくために、青色分布が多く、表面に形成された赤色及び緑色の蛍光体によって緑色及び赤色光も青色に準ずる多い分布を有する。一般に赤緑蛍光体ＬＥＤモジュールの場合の色分布の差は２０％以内である。
【００５６】
図１１はカラーフィルタに開口部を形成する実施形態を示している。
図１１はカラーフィルタのみを簡略に示した図であり、カラーフィルタ（２３０Ｒ、２３０Ｇ、２３０Ｂ）を上下に半分に分けた時、上部は透過領域（ＴＡ）であり、下部は反射領域（ＲＡ）である。図に示すように、反射領域（ＲＡ）は色感を調節するために開口部（２３５Ｒ、２３５Ｇ、２３５Ｂ）を含む。赤緑蛍光体ＬＥＤモジュールを用いる場合、青色、緑色、赤色の輝度を調和させるため、開口部の大きさ（面積）の合計を互いに同じ大きさで形成して色感のバランスを維持する。ただし、光源での色分布の差が２０％以内であるため、各カラーフィルタ間の開口部（２３５Ｒ、２３５Ｇ、２３５Ｂ）の合計の大きさの差も２０％の範囲内であるのがよい。
【００５７】
図１２は、反射領域（ＲＡ）と透過領域（ＴＡ）のカラーフィルタを各々異なる物質で形成した実施形態を示している。つまり、赤色のカラーフィルタのうちの反射領域（ＲＡ）カラーフィルタは２３１Ｒと示し、赤色のカラーフィルタのうちの透過領域（ＴＡ）カラーフィルタは２３０Ｒと示している。このように緑色、青色のカラーフィルタのうちの反射領域（ＲＡ）カラーフィルタは２３１Ｇ、２３１Ｂであり、緑色、青色のカラーフィルタのうちの透過領域（ＴＡ）カラーフィルタは２３０Ｇ、２３０Ｂである。
【００５８】
ここでも赤緑蛍光体ＬＥＤモジュールを用いるため、光源から提供される光には青色、緑色、赤色の色分布の差が少ないため、反射領域でのカラーフィルタが色感を向上させる比率を互いに光源での色分布の差内で形成する。つまり、光源での色分布の差が２０％以内であるため、色感を向上させる比率の差も２０％の範囲内であるのが望ましい。
【００５９】
一方、図１３は青色のカラーフィルタだけ２種類の物質を使用して、赤色と緑色のカラーフィルタは開口部を形成する実施形態を示している。
本実施形態も赤緑蛍光体ＬＥＤモジュールを用いるため、光源から提供される光には色による色分布の差が少ないため、反射領域でカラーフィルタが色感を向上させる比率も差が少ないように形成する。ただし、反射領域の青色のカラーフィルタ２３１Ｂは透過領域の青色のカラーフィルタ２３０Ｂとは異なる物質を利用して色感を向上させ、緑色と赤色のカラーフィルタ（２３０Ｇ、２３０Ｒ）は開口部（２３５Ｇ、２３５Ｒ）を利用して色感を向上させる。反射領域の緑色カラーフィルタと反射領域の赤色カラーフィルタは、色感を同じ程度の水準に向上させなければならないため、反射領域の緑色カラーフィルタの開口部２３５Ｇの合計と反射領域の赤色カラーフィルタの開口部２３５Ｒの合計はその大きさがほぼ同程度である。ただし、光源での色分布の差が２０％以内であるため、各色間での色感を向上させる程度の差も２０％の範囲内であるのが望ましい。
【００６０】
本実施形態では青色のカラーフィルタで反射領域に異なる物質を利用して反射領域カラーフィルタを形成したが、他の色を用いてもよい。ただし、赤緑蛍光体ＬＥＤモジュールを光源として用いるため、反射領域でカラーフィルタが色感を向上させる比率が各色別に同程度になるように形成するべきである。一方、光源での色分布の差が２０％以内であるため、各色での色感を向上させる程度の差も２０％の範囲内であるのが望ましい。
【００６１】
本発明の実施形態による赤緑蛍光体ＬＥＤモジュールは、青色、緑色、赤色の分布がほぼ同じで、色感を同程度に向上させる場合を基準に説明した。しかし、赤緑蛍光体ＬＥＤモジュールによって、青色、緑色、赤色の色分布の差があることもあり、差がある場合には分布が最も多い色の反射領域カラーフィルタが色感を最も少なく向上させるように形成する。この時、開口部を形成する場合には開口部を最も大きく形成する。
【００６２】
図１４は、赤色、緑色、青色のＬＥＤ素子からなるモジュール（３色ＬＥＤモジュール）を光源として用いた場合、３色ＬＥＤモジュールで発光する光の波長による輝度を示したグラフであり、図１５は３色ＬＥＤモジュールを光源として利用した本発明の一つの実施形態によるカラーフィルタを示した図である。
図１４及び図１５は、３色ＬＥＤモジュールを用いる実施形態に関する図である。上述したように、３色ＬＥＤモジュールは、各々青色光、赤色光及び緑色光を発光する３種類のＬＥＤを配列して用いる実施形態である。
【００６３】
図１４は、３色ＬＥＤモジュールから発光される光の波長による輝度グラフを示した。  図１４から分かるように、３色ＬＥＤモジュールは各々の色を示すＬＥＤ素子を用いるために、全ての色が高い輝度を有し、各色の色分布が調和を成している。
【００６４】
図１５はカラーフィルタに開口部を形成する実施形態を示している。
図１５はカラーフィルタのみを簡略に示した図であり、カラーフィルタ（２３０Ｒ、２３０Ｇ、２３０Ｂ）を上下半分に分けると、上部は透過領域（ＴＡ）であり、下部は反射領域（ＲＡ）である。図に示すように反射領域（ＲＡ）は色感を調節するために開口部（２３５Ｒ、２３５Ｇ、２３５Ｂ）を形成するが、反射領域（ＲＡ）にほぼ同程度の開口部（２３５Ｒ、２３５Ｇ、２３５Ｂ）を有して構成される。
【００６５】
３色ＬＥＤモジュールを用いる場合、青色、緑色、赤色の分布が調和をなしているので開口部の大きさが互いに同じ程度の大きさで形成されて色感のバランスを維持する。ただし、３色ＬＥＤモジュールも一般に２０％以内の色分布の差があるため、開口部の大きさが２０％の差があるように形成するのが望ましい。
【００６６】
３色ＬＥＤモジュールを用いる場合も、赤緑蛍光体ＬＥＤモジュールを用いる場合の構造で反射領域のカラーフィルタを形成できる。これは赤緑蛍光体ＬＥＤモジュールを用いる実施形態や３色ＬＥＤモジュールを用いる実施形態の全てにおいて、光源自体で赤色、緑色、青色が互いに均衡を成しているためである。
【００６７】
次に、反射型液晶表示装置において本発明がどのように適用されるのかを説明する。
図１６は本発明の第２の実施形態による反射型液晶表示装置の薄膜トランジスタ表示板の配置図であり、図１７は反射型液晶表示装置の液晶表示パネルを図１６に示すＸＶＩＩ−ＸＶＩＩ線に沿って切断した断面図であり、図１８は図１６のＸＶＩＩＩ−ＸＶＩＩＩ線に沿って切断した断面図である。
【００６８】
本実施形態による液晶表示パネルは、薄膜トランジスタ表示板１００とこれと対向しているカラーフィルタ表示板２００、そしてこれらの間に挿入されて二つの表示板（１００、２００）の表面に対して垂直または水平で配向されている液晶分子を含む液晶層３で構成される。
【００６９】
まず、薄膜トランジスタ表示板１００について説明する。
透明なガラスまたはプラスチックなどで形成された絶縁基板１１０上に複数のゲート線１２１及び複数の維持電極線１３１が形成されている。
ゲート線１２１はゲート信号を印加し、主に横方向にのびている。
維持電極線１３１は、所定の電圧の印加を受け、ゲート線１２１と略平行にのびる。各維持電極線１３１は、隣接した二つのゲート線１２１の間に位置して、二つのゲート線１２１のうちの下側に近い。
【００７０】
ゲート線１２１及び維持電極線１３１上には、窒化ケイ素（ＳｉＮｘ）または酸化ケイ素（ＳｉＯｘ）などで形成されたゲート絶縁膜１４０が形成されている。
ゲート絶縁膜１４０上には水素化非晶質シリコン（非晶質シリコンは、略してａ−Ｓｉと記す）または多結晶シリコンなどで形成された複数の線状半導体１５１が形成されている。
線状半導体１５１上には複数の線状及び島型オーミックコンタクト部材１６１、１６５が形成されている。オーミックコンタクト部材（１６１、１６５）は、リンなどのｎ型不純物が高濃度にドーピングされているｎ＋水素化非晶質シリコンなどの物質で形成されたり、シリサイドで形成される。
【００７１】
オーミックコンタクト部材（１６１、１６５）及びゲート絶縁膜１４０上には、複数のデータ線１７１と複数のドレイン電極１７５が形成されている。
ドレイン電極１７５はデータ線１７１と分離されて、ゲート電極１２４を中心にソース電極１７３と対向する。各ドレイン電極１７５は、広い一側端部と棒状の他側端部を有する。広い一側端部は維持電極１３７と重なって、棒状の他側端部は曲がったソース電極１７３で一部囲まれている。
【００７２】
一つのゲート電極１２４、一つのソース電極１７３及び一つのドレイン電極１７５は、線状半導体１５１の突出部１５４と共に一つの薄膜トランジスタ（ＴＦＴ）を成し、薄膜トランジスタのチャンネルは、ソース電極１７３とドレイン電極１７５の間の突出部１５４に形成される。
【００７３】
データ線１７１、ドレイン電極１７５及び露出された線状半導体１５１の部分上には保護膜１８０が形成されている。保護膜１８０は窒化ケイ素や酸化ケイ素などの無機絶縁物で形成された下部保護膜１８０ｑと有機絶縁物で形成された上部保護膜１８０ｐを含む。
各反射電極１９４は上部保護膜１８０ｐの上部に形成され、アルミニウム、銀、クロムまたはその合金などの反射性金属で形成される。
反射電極１９４は、画素領域の殆どを覆っていて、外部から入射された光を反射させる。
【００７４】
反射電極１９４は、接触孔１８５を通してドレイン電極１７５と物理的・電気的に接続されており、ドレイン電極１７５からデータ電圧の印加を受ける。データ電圧が印加された反射電極１９４は、共通電圧が印加される、カラーフィルタ表示板２００の共通電極２７０と共に電場を生成することによって、二つの電極（１９４、２７０）の間の液晶層３の液晶分子の方向を決定する。
【００７５】
薄膜トランジスタ表示板１００、カラーフィルタ表示板２００及び液晶層３などを含む反射型液晶表示パネルは、反射電極１９４によって定義される反射領域（ＲＡ）で形成されている。反射領域（ＲＡ）では、上部面から入射された光が液晶層３に入って反射電極１９４によって反射され、液晶層３を再び通過して上部面から出射されることによって表示を行う。この時、反射電極１９４の表面に設けられる細かい屈曲（図示せず）は、光が分散されて反射されるようにする。
【００７６】
次にカラーフィルタ表示板２００について説明する。
透明なガラスまたはプラスチックなどで形成された絶縁基板２１０上（図１７上では下に、以下同様）に遮光部材２２０が形成されている。遮光部材２２０はブラックマトリックスともいい、反射電極１９４と対向する複数の開口領域を定義する一方、反射電極１９４の間の光漏れを防止する。
【００７７】
絶縁基板２１０上には、さらに複数のカラーフィルタ２３０が形成されており、遮光部材２２０に囲まれた開口領域内に殆ど入るように配置されている。カラーフィルタ２３０は反射電極１９４に沿って縦方向に長くのびて帯状になる。各カラーフィルタ２３０は、赤色、緑色及び青色の三原色など基本色のうちの一色を表示できる。
【００７８】
反射型液晶表示装置は、光がカラーフィルタ表示板２００に入射される時、及び反射される時、合わせて２回カラーフィルタ２３０を通過する。これは一般な透過型液晶表示装置と異なる点であって、透過型液晶表示装置と異なる構造のカラーフィルタを形成する必要がある。
即ち、反射型液晶表示装置のカラーフィルタ２３０に開口部２３５を形成する。開口部２３５の大きさ及び個数はカラーフィルタの色及び光源の種類によって変わり、これについては後述する。開口部２３５を形成せずに透過型液晶表示装置と異なる色感を有する物質を利用してカラーフィルタを形成することもできる。
【００７９】
カラーフィルタ２３０及び遮光部材２２０上には平坦化膜２５０が形成され、その上には共通電極２７０が形成されている。共通電極２７０はＩＴＯやＩＺＯなど透明な導電体で形成するのが望ましい。
表示板（１００、２００）の内側面には液晶層３を配向するための配向膜（図示せず）が塗布され、表示板（１００、２００）の外側面には各々偏光板１２、２２及び位相遅延フィルム１５、２５が備えられている。位相遅延フィルム１５、２５は、λ／４プレートまたはλ／２プレートが使用されることが望ましく、λ／４プレートとλ／２プレートを共に使用してもよい。
【００８０】
以下、光源の種類とそれに伴う反射型液晶表示装置のカラーフィルタの色の関係を図１９及び図２０を参照して説明する。
図１９はホワイトＬＥＤモジュールを光源として利用した本発明の一つの実施形態によるカラーフィルタを示した図であり、図２０は赤緑蛍光体ＬＥＤモジュールまたは３色ＬＥＤモジュールを光源を利用した本発明の一つの実施形態によるカラーフィルタを示した図である。
【００８１】
まず、図１９はホワイトＬＥＤモジュールを光源として用いた場合の実施形態であり、図１９はカラーフィルタに開口部を形成する実施形態を示している。
図１９はカラーフィルタのみを簡略に示した図であり、カラーフィルタ（２３０Ｒ、２３０Ｇ、２３０Ｂ）の全領域が反射された光を利用する反射領域である。図で示すように、反射領域（ＲＡ）は色感を調節するために開口部（２３５Ｒ、２３５Ｇ、２３５Ｂ）を有する。ホワイトＬＥＤモジュールを用いる場合、青色の分布が最も多いため、青色カラーフィルタ２３０Ｂ内に開口部２３５Ｂの領域の合計を最も大きく形成する。そして、緑色が赤色に比べて分布が多いため（図６参考）、緑色カラーフィルタ２３０Ｇ内の開口部２３５Ｇの領域の合計を赤色カラーフィルタ２３０Ｒ内の開口部２３５Ｒの領域の合計より大きく形成する。
【００８２】
一方、図２０は赤緑蛍光体ＬＥＤモジュールを光源として利用した実施形態である。図で示したように、本実施形態は色感を調節するために開口部（２３５Ｒ、２３５Ｇ、２３５Ｂ）を含む。赤緑蛍光体ＬＥＤモジュールを用いる場合、青色、緑色、赤色の分布が調和を成しているため、開口部の大きさの合計を互いにほぼ同じ大きさに形成して色感のバランスを維持する。
図２０は赤緑蛍光体ＬＥＤモジュールを用いた場合だけでなく、３色ＬＥＤモジュールを用いる場合にも適用できる。
【００８３】
赤緑蛍光体ＬＥＤモジュールや３色ＬＥＤモジュールの場合にも各色別に調和を成しているが、色の分布の差が２０％以内であるため、各色での色感を向上させる程度の差も２０％の範囲内であるのが望ましい。
【００８４】
尚、本発明は、上述の実施形態に限られるものではない。本発明の技術的範囲から逸脱しない範囲内で多様に変更実施することが可能である。
【図面の簡単な説明】
【００８５】
【図１】本発明の第１の実施形態による液晶表示装置の概略断面図である。
【図２】本発明の第１の実施形態による半透過型液晶表示装置の薄膜トランジスタ表示板の配置図である。
【図３】図２のＩＶ−ＩＶ線に沿って切断した断面図である。
【図４】液晶表示パネルを図２に示すＩＩＩ−ＩＩＩ線に沿って切断した断面図である。
【図５】液晶表示パネルを図２に示すＩＩＩ−ＩＩＩ線に沿って切断した断面図であり、図４と異なる他の実施形態による図面である。
【図６】ホワイトＬＥＤモジュールを光源として用いた場合のホワイトＬＥＤモジュールから発光される光の波長による輝度を示したグラフである。
【図７】ホワイトＬＥＤモジュールを光源として用いた場合の本発明の各実施形態によるカラーフィルタを示した図であり、カラーフィルタに開口部を形成する実施形態のものである。
【図８】ホワイトＬＥＤモジュールを光源として用いた場合の本発明の各実施形態によるカラーフィルタを示した図であり、反射領域（ＲＡ）と透過領域（ＴＡ）のカラーフィルタを各々異なる物質で形成した実施形態のものである。
【図９】ホワイトＬＥＤモジュールを光源として用いた場合の本発明の各実施形態によるカラーフィルタを示した図であり、青色のカラーフィルタだけ２種類の物質を使用して、赤色と緑色のカラーフィルタは開口部を形成する実施形態のものである。
【図１０】赤色、緑色の蛍光体を含むＬＥＤモジュールを光源として用いた場合のＬＥＤモジュールから発光される光の波長による輝度を示したグラフである。
【図１１】赤色、緑色の蛍光体を含むＬＥＤモジュールを光源として用いた場合の本発明の各実施形態によるカラーフィルタを示した図であり、カラーフィルタに開口部を形成する実施形態のものである。
【図１２】赤色、緑色の蛍光体を含むＬＥＤモジュールを光源として用いた場合の本発明の各実施形態によるカラーフィルタを示した図であり、反射領域（ＲＡ）と透過領域（ＴＡ）のカラーフィルタを各々異なる物質で形成した実施形態のものである
【図１３】赤色、緑色の蛍光体を含むＬＥＤモジュールを光源として用いた場合の本発明の各実施形態によるカラーフィルタを示した図であり、青色のカラーフィルタだけ２種類の物質を使用して、赤色と緑色のカラーフィルタは開口部を形成する実施形態のものである。
【図１４】赤色、緑色、青色のＬＥＤ素子からなるモジュールを光源として用いた場合のＬＥＤモジュールから発光される光の波長による輝度を示したグラフである。
【図１５】赤色、緑色、青色のＬＥＤ素子からなるモジュールを光源として用いた場合の本発明の実施形態によるカラーフィルタを示した図であり、カラーフィルタに開口部を形成する実施形態のものである。
【図１６】本発明の第２の実施形態による反射型液晶表示装置の薄膜トランジスタ表示板の配置図である。
【図１７】反射型液晶表示装置の液晶表示パネルを図１６に示すＸＶＩＩ−ＸＶＩＩ線に沿って切断した断面図である。
【図１８】図１６のＸＶＩＩＩ−ＸＶＩＩＩ線に沿って切断した断面図である。
【図１９】ホワイトＬＥＤモジュールを光源として利用した本発明の第２の実施形態によるカラーフィルタを示した図である。
【図２０】赤緑蛍光体ＬＥＤモジュールまたは３色ＬＥＤモジュールを光源を利用した本発明の第２の実施形態によるカラーフィルタを示した図である。
【符号の説明】
【００８６】
３        液晶層
１２      下部偏光板
２２      上部偏光板
１５      下部位相遅延フィルム
２５      上部位相遅延フィルム
１００      薄膜トランジスタ表示板
１１０      下部絶縁基板
１２１      ゲート線
１２４      ゲート電極
１３１      維持電極線
１４０      ゲート絶縁膜
１５１      線状半導体
１６１、１６５      （線状及び島型）オーミックコンタクト部材
１７１      データ線
１７３      ソース電極
１７５      ドレイン電極
１８０      保護膜
１８０ｐ      上部保護膜
１８０ｑ      下部保護膜
１９１      画素電極
１９２      透明電極
１９４      反射電極
１９５      透過窓
２００      カラーフィルタ表示板
２１０      上部絶縁基板
２２０      遮光部材（ブラックマトリックス）
２３０、２３１    カラーフィルタ
２３５      開口部
２５０      平坦化膜
２７０      共通電極
３１０      密封材
５１０      光源
５２０      反射板
５５０      導光板
【図１】
0005489147.tif 000002
【図２】
0005489147.tif 000003
【図３】
0005489147.tif 000004
【図４】
0005489147.tif 000005
【図５】
0005489147.tif 000006
【図６】
0005489147.tif 000007
【図７】
0005489147.tif 000008
【図８】
0005489147.tif 000009
【図９】
0005489147.tif 000010
【図１０】
0005489147.tif 000011
【図１１】
0005489147.tif 000012
【図１２】
0005489147.tif 000013
【図１３】
0005489147.tif 000014
【図１４】
0005489147.tif 000015
【図１５】
0005489147.tif 000016
【図１６】
0005489147.tif 000017
【図１７】
0005489147.tif 000018
【図１８】
0005489147.tif 000019
【図１９】
0005489147.tif 000020
【図２０】
0005489147.tif 000021